(57)【要約】  表示される画像の部分毎の明るさを変更可能な投写型表示装置を提供することにある。  投写型表示装置（１０）は、複数の可動式反射素子（２１）を有する反射型空間光変調部（２０）と、光源部（３０）と、反射型空間光変調部（２０）と光源部（３０）とを制御する制御部（４０）と、を備える。制御部（４０）は、表示画像（２００）の各フレーム（Ｆ）を、光源部（３０）を発光させる表示期間（Ｆａ）と、光源部（３０）を発光させない非表示期間（Ｆｂ）と、に分割する。制御部（４０）は、フレーム（Ｆ）を構成する複数のサブフレーム（ＳＦ）のうち、表示期間（Ｆａ）に含まれる複数の表示サブフレーム（ＳＦａ）のそれぞれを、さらに複数の分割表示サブフレーム（ｄＳＦａ）に分割する。制御部（４０）は、表示サブフレーム（ＳＦａ）毎に光源部（３０）の複数の発光素子を少なくとも１つ発光させ、分割表示サブフレーム（ｄＳＦａ）毎に複数の可動式反射素子（２１）のそれぞれの傾斜状態を設定する。
2018043040.tif 000002
【特許請求の範囲】
【請求項１】
第１傾斜状態又は第２傾斜状態のいずれか一方に設定されるように傾斜状態が切り替わり可能な複数の可動式反射素子を有する反射型空間光変調部と、  複数の発光素子を有する光源部と、  入力する映像信号に応じた画像を構成する光が投写されるように、前記反射型空間光変調部と前記光源部とを制御する制御部と、  を備え、  前記制御部は、  前記画像の各フレームを、前記複数の発光素子の少なくとも１つを発光させる期間である表示期間と、前記複数の発光素子の全てを発光させない期間である非表示期間と、に分割し、  前記フレームを構成する複数の期間である複数のサブフレームのうち、前記表示期間に含まれるサブフレームである複数の表示サブフレームのそれぞれを、さらに複数の分割表示サブフレームに分割し、  前記表示サブフレーム毎に前記複数の発光素子のうちの少なくとも１つの発光素子が発光するように、前記光源部を制御し、  前記分割表示サブフレーム毎に前記複数の可動式反射素子のそれぞれの前記傾斜状態が設定されるように、前記反射型空間光変調部を制御する投射型表示装置。
【請求項２】
前記第１傾斜状態の前記可動式反射素子は、前記発光素子の光を、前記画像を構成する前記光として投写される方向に反射する一方で、  前記第２傾斜状態の前記可動式反射素子は、前記発光素子の光を、前記画像を構成する前記光として投写されない方向に反射し、  前記制御部は、  前記反射型空間光変調部の前記複数の可動式反射素子を、複数の群に分け、  各表示サブフレームが分割される前記複数の分割表示サブフレームのうち、前記可動式反射素子が前記第２傾斜状態で固定される前記分割表示サブフレームを、前記複数の可動式反射素子の前記複数の群毎に決定する、請求項１記載の投写型表示装置。
【請求項３】
前記制御部は、  前記複数の群のうちいずれか１つを、全ての前記分割表示サブフレームで映像信号に応じて前記第１傾斜状態に切り替わり可能な群に決定する、請求項１又は２記載の投射型表示装置。
【請求項４】
前記制御部は、前記複数の群を、表示する前記画像の種類または前記複数の群を構成した後の経過時間に応じて、変更する、請求項１又は２記載の投射型表示装置。
【請求項５】
前記制御部は、１フレーム当たり又は複数のフレーム当たりにおける各可動式反射素子が前記第１傾斜状態となる時間と前記第２傾斜状態となる時間との割合が、一定になるように、前記非表示期間に含まれる前記サブフレーム毎に前記複数の可動式反射素子のそれぞれの前記傾斜状態が設定されるように、前記反射型空間光変調部を制御する、請求項１から４のいずれか１項記載の投写型表示装置。
【請求項６】
前記制御部は、前記複数のサブフレームのうち、前記非表示期間に含まれるサブフレームである複数の非表示サブフレームのそれぞれを、さらに複数の分割非表示サブフレームに分割し、  前記制御部は、１フレーム当たり又は複数のフレーム当たりにおける各可動式反射素子が前記第１傾斜状態となる時間と前記第２傾斜状態となる時間との割合が、一定になるように、前記非表示期間に含まれる前記分割非表示サブフレーム毎に前記複数の可動式反射素子のそれぞれの前記傾斜状態が設定されるように、前記反射型空間光変調部を制御する、請求項１から５のいずれか１項記載の投写型表示装置
【請求項７】
前記制御部は、前記表示サブフレームが分割される前記複数の分割表示サブフレームの期間の割合を、前記複数の表示サブフレームで一定に決定する、請求項１から６のいずれか１項記載の投写型表示装置。
【請求項８】
前記制御部は、前記表示サブフレームが分割される前記複数の分割表示サブフレームの期間の割合を、前記表示サブフレーム毎に任意に決定する、請求項１から６のいずれか１項記載の投写型表示装置。
【発明の詳細な説明】
【技術分野】
【０００１】  本発明は、投写型表示装置に関する。本発明は、特に、表示される画像の部分毎に明るさを調整可能な投写型表示装置に関する。
【背景技術】
【０００２】  表示装置の一種として、生成した画像を任意のスクリーン等に投写することによって、画像を表示する投写型表示装置が知られている。投写型表示装置は、例えば光の３原色に対応する赤色、緑色及び青色の３色光を、ＤＭＤ（Digital Micromirror Device）等の光変調素子を用いて空間光変調することによって、投写する画像を形成する。【０００３】  ＤＭＤを用いた投写型表示装置では、画像を形成するフレームを時間分割したサブフレーム毎に発光素子を少なくとも１つずつ発光させる、いわゆるフィールドシーケンシャル駆動方式が採用されて画像が表示される。ＤＭＤは、表示される画像の各画素に対応する複数のマイクロミラーを有しており、サブフレーム毎にこれらのマイクロミラーを２つの傾斜状態のうち一方の傾斜状態に設定されるように個別に駆動させ、発光素子が発光する光のうちマイクロミラーによって所定の方向に反射される光によってフルカラー画像が表示される。【０００４】  しかしながら、ＤＭＤのマイクロミラーは、２つの傾斜状態のうちいずか一方の傾斜状態となる時間が長くなるにつれて、その傾斜状態に固着する可能性が高くなり、ＤＭＤの寿命を縮めるおそれがあった。この問題を解決するために、例えば、特許文献１に開示されている投写型表示装置が提案されている。【０００５】  特許文献１に開示されている投写型表示装置では、画像を形成する各フレームが、複数の発光素子の少なくとも１つを発光させる期間である表示期間と、複数の発光素子の全てを発光させない期間である非表示期間と、の２つの期間に分割されている。非表示期間内はマイクロミラーの傾斜状態が表示される画像に影響しないため、複数のマイクロミラー毎に表示期間内の各傾斜状態の割合に応じて、非表示期間内の各傾斜状態の割合を複数のマイクロミラー毎に任意に設定できる。その結果、全てのマイクロミラーについて、１フレーム全体として２つの傾斜状態のうち各傾斜状態となる割合を任意に設定できることによって、ＤＭＤの寿命を縮めるおそれを解消している。【０００６】  ところで、このような方法を採用する場合には、表示される画像の明るさの変更は、発光素子の発光輝度を調整することによって、画像全体の明るさのみを変更するものに限られる。このように、特許文献１に開示されている投写型表示装置では、表示される画像の部分毎の明るさの変更を可能とするために、改善の余地があることを、本発明者らは認識した。
【先行技術文献】
【特許文献】
【０００７】
【特許文献１】特開２０１４−１０４１７号公報
【発明の概要】
【０００８】  本発明の１つの目的は、表示される画像の部分毎の明るさを変更可能な投写型表示装置を提供することにある。本発明の他の目的は、以下に例示する態様及び好ましい実施形態、並びに添付の図面を参照することによって、当業者に明らかになるであろう。
【０００９】  本発明に従う第１の態様は、第１傾斜状態又は第２傾斜状態のいずれか一方に設定されるように傾斜状態が切り替わり可能な複数の可動式反射素子を有する反射型空間光変調部と、  複数の発光素子を有する光源部と、  入力する映像信号に応じた画像を構成する光が投写されるように、前記反射型空間光変調部と前記光源部とを制御する制御部と、  を備え、  前記制御部は、  前記画像の各フレームを、前記複数の発光素子の少なくとも１つを発光させる期間である表示期間と、前記複数の発光素子の全てを発光させない期間である非表示期間と、に分割し、  前記フレームを構成する複数の期間である複数のサブフレームのうち、前記表示期間に含まれるサブフレームである複数の表示サブフレームのそれぞれを、さらに複数の分割表示サブフレームに分割し、  前記表示サブフレーム毎に前記複数の発光素子のうちの少なくとも１つの発光素子が発光するように、前記光源部を制御し、  前記分割表示サブフレーム毎に前記複数の可動式反射素子のそれぞれの前記傾斜状態が設定されるように、前記反射型空間光変調部を制御する投射型表示装置に関する。
【００１０】  第１の態様の投写型表示装置では、分割表示サブフレーム毎に、可動式反射素子の第１傾斜状態又は第２傾斜状態を設定できることによって、表示画像の明るさを部分毎に変更できる。
【００１１】  本発明に従う第２の態様では、第１の態様において、前記第１傾斜状態の前記可動式反射素子は、前記発光素子の光を、前記画像を構成する前記光として投写される方向に反射する一方で、  前記第２傾斜状態の前記可動式反射素子は、前記発光素子の光を、前記画像を構成する前記光として投写されない方向に反射し、  前記制御部は、  前記反射型空間光変調部の前記複数の可動式反射素子を、複数の群に分け、  各表示サブフレームが分割される前記複数の分割表示サブフレームのうち、前記可動式反射素子が前記第２傾斜状態で固定される前記分割表示サブフレームを、前記複数の可動式反射素子の前記複数の群毎に決定してもよい。
【００１２】  第２の態様では、可動式反射素子の複数の群に対応する表示画像のエリア毎に明るさを変更することができる。例えば、特定のマークが含まれる表示画像のエリアを明るく表示することによって、そのマークを用いて車両の運転者へ注意を促すことができる。
【００１３】  本発明に従う第３の態様では、第１又は２の態様において、前記制御部は、  前記複数の群のうちいずれか１つを、全ての前記分割表示サブフレームで映像信号に応じて前記第１傾斜状態に切り替わり可能な群に決定してもよい。
【００１４】  第３の態様において、制御部が、複数の群のうちいずれか１つの群に含まれる可動式反射素子を、全ての分割表示サブフレームで映像信号に応じて第１傾斜状態に切り替わり可能なエリアに決定することで、光源部が点灯しているものの、いずれの可動式反射素子も第２傾斜状態に固定されてしまい画像としては寄与しない分割表示サブフレームが発生してしまうことを防止することができる。
【００１５】  本発明に従う第４の態様では、第１又は２の態様において、前記制御部は、前記複数の群を、表示する前記画像の種類または前記複数の群を構成した後の経過時間に応じて、変更してもよい。
【００１６】  第４の態様において、表示画像の領域毎に適切に明るさの強弱をつけることができるため、車両の運行状況に応じて必要とされる情報を的確に運転者に伝えることができる。
【００１７】  本発明に従う第５の態様では、第１から第４の態様において、前記制御部は、１フレーム当たり又は複数のフレーム当たりにおける各可動式反射素子が前記第１傾斜状態となる時間と前記第２傾斜状態となる時間との割合が、一定になるように、前記非表示期間に含まれる前記サブフレーム毎に前記複数の可動式反射素子のそれぞれの前記傾斜状態が設定されるように、前記反射型空間光変調部を制御してもよい。
【００１８】  第５の態様では、１フレーム当たり又は複数のフレーム当たりにおける各可動式反射素子が第１傾斜状態となる時間と第２傾斜状態となる時間との割合が、一定の割合になることによって、可動式反射素子が第１傾斜状態又は第２傾斜状態の一方で固着することが防止される。
【００１９】  本発明に従う第６の態様では、第１から第５の態様において、前記制御部は、前記複数のサブフレームのうち、前記非表示期間に含まれるサブフレームである複数の非表示サブフレームのそれぞれを、さらに複数の分割非表示サブフレームに分割し、  前記制御部は、１フレーム当たり又は複数のフレーム当たりにおける各可動式反射素子が前記第１傾斜状態となる時間と前記第２傾斜状態となる時間との割合が、一定になるように、前記非表示期間に含まれる前記分割非表示サブフレーム毎に前記複数の可動式反射素子のそれぞれの前記傾斜状態が設定されるように、前記反射型空間光変調部を制御してもよい。
【００２０】  非表示サブフレーム毎に各可動式反射素子を制御することによって、例えば非表示サブフレームを複数の分割非表示サブフレームに分割しない場合と比較して、非表示期間おける各可動式反射素子の第１傾斜状態又は第２傾斜状態を細かく設定できる。
【００２１】  本発明に従う第７の態様では、第１から第６の態様において、前記制御部は、前記表示サブフレームが分割される前記複数の分割表示サブフレームの期間の割合を、前記複数の表示サブフレームで一定に決定してもよい。
【００２２】  第７の態様では、制御部が、各表示サブフレームが分割される複数の分割表示サブフレームの期間の割合を、全ての表示サブフレームで一定に決定することによって、混色の階調段階を保った状態で、表示画像の明るさを部分毎に変更できる。
【００２３】  本発明に従う第８の態様では、第１から第６の態様において、前記制御部は、前記表示サブフレームが分割される前記複数の分割表示サブフレームの期間の割合を、前記表示サブフレーム毎に任意に決定してもよい。
【００２４】  第８の態様では、制御部が、各表示サブフレームが分割される複数の分割表示サブフレームの期間の割合を、表示サブフレーム毎に任意に決定することによって、表示画像における単色表示の明るさを色毎に決定できる。例えば、表示画像において、ある１色の単色表示を、他の色の単色表示と比較して明るく表示することによって、明るく表示された１色の単色表示を用いて車両の運転者へ注意を促すことができる。
【図面の簡単な説明】
【００２５】
【図１】本発明の投写型表示装置の構成の例を示すブロック図である。
【図２】図１に示されるハウジング内の構成の例を示すブロック図である。
【図３Ａ】図１に示される反射型空間光変調部の構成の例を示す図である。
【図３Ｂ】図３Ａに示される可動式反射素子が第１傾斜状態である例を示す図である。
【図３Ｃ】図３Ａに示される可動式反射素子が第２傾斜状態である例を示す図である。
【図４】制御部によって分割される、表示される画像のフレームを説明する図である。
【図５】可動式反射素子と光源部との駆動タイミングを示すタイミングチャート図である。
【図６】可動式反射素子と光源部との駆動タイミングを示すタイミングチャート図である。
【図７】図３Ａに示される反射型空間光変調部にエリアを反映させた例を示す図である。
【図８Ａ】外部照度と光源部の発光輝度との関係を説明するグラフである。
【図８Ｂ】反射型空間光変調部の温度と光源部の発光輝度との関係を説明するグラフである。
【発明を実施するための形態】
【００２６】  以下に説明する好ましい実施形態は、本発明を容易に理解するために用いられている。従って、当業者は、本発明が、以下に説明される実施形態によって不当に限定されないことを留意すべきである。
【００２７】  本発明の投写型表示装置１０の全体の構成の例を説明する。図１には、投写型表示装置１０の一例として、車両１００に搭載される投写型表示装置（ヘッドアップディスプレイ装置）１０が示されている。なお、図１に示されるＦｒは車両１００の運転者から見た前方を表し、図１に示されるＲｒは車両１００の運転者から見た後方を表す。
【００２８】  車両１００の運転者は、投写型表示装置１０によって形成された画像を構成する光９０がフロントウィンドウシールド１１０によって反射されて運転者の視点の位置に入射することによって、フロントウィンドウシールド１１０より前方に虚像３００を視認することができる。車両１００の運転者は、例えば、フロントウィンドウシールド１１０越しに見える景色の少なくとも一部と、虚像３００とが、重畳した状態で虚像３００を視認することができる。
【００２９】  投写型表示装置１０は、反射型空間光変調部２０と、光源部３０と、制御部４０と、を備える。投写型表示装置１０は、例えば、光源部駆動回路部５０、外部照度取得部６０、温度取得部７０等をさらに備えてもよい。また、反射型空間光変調部２０、光源部３０、外部照度取得部６０、及び温度取得部７０は、ハウジング８０に収納されている。
【００３０】  反射型空間光変調部２０として、ＤＭＤ（Digital Micromirror Device）２０が採用されている。ＤＭＤ２０は、制御部４０による制御によって、光源部３０が発光する光を空間光変調することによって、画像を形成する。ＤＭＤ２０は可動式反射素子２１である複数のマイクロミラー２１と、反射素子駆動回路基板２６であるＤＭＤベース基板２６を備える。各マイクロミラー２１は、ＤＭＤベース基板２６によって印加される電位が変化することで、個別に第１傾斜状態又は第２傾斜状態のいずれか一方に設定されるように傾斜状態が切り替わり可能である。マイクロミラー２１の構成及び傾斜状態については、後述する。
【００３１】  光源部３０は、光源部駆動回路部５０から駆動電流が供給されることによって発光するＬＥＤ（Light Emitting Diode）等の複数の発光素子を含む。光源部３０は、投写型表示装置１０としてカラー画像を形成することができるように、白色光を得るために、例えば光の３原色に対応する赤色ＬＥＤ３１、緑色ＬＥＤ３２及び青色ＬＥＤ３３を含む。なお、本実施形態では、光源部３０の発光素子として赤色ＬＥＤ３１、緑色ＬＥＤ３２及び青色ＬＥＤ３３を採用した例を説明するが、光源部３０の発光素子は、例えば、半導体レーザ等の他の半導体発光素子であってもよい。また、光源部３０は、１色あたり複数のＬＥＤを含んでいてもよい。
【００３２】  光源部駆動回路部５０は、制御部４０から受け取るＰＷＭ（Pulse Width Modulation）信号に応じた駆動電流を光源部３０に供給する。光源部３０が３つのＬＥＤを含むときには、光源部駆動回路部５０は、３つのＬＥＤに対して個別に駆動電流を供給可能に、３つの駆動回路を含んでもよい。
【００３３】  制御部４０は、投写型表示装置１０の全体の制御を担うマイクロコンピュータであり、いずれも図示されていない、処理部と記憶部と入出力部とを含む。処理部は、例えば、単数又は複数のマイクロプロセッサ、マイクロコントローラ、ＡＳＩＣ（Application Specific Integrated Circuit）、ＦＰＧＡ（Field-Programmable Gate Array）、任意の他のＩＣ（Integrated Circuit）等を有する。記憶部は、例えば、書き換え可能なＲＡＭ（Random Access Memory）、読み出し専用のＲＯＭ（Read Only Memory）、消去可能なプログラム読み出し専用のＥＥＰＲＯＭ（Electrically Erasable Programmable Read-Only Memory）、不揮発性メモリであるフラッシュメモリ等のプログラム及び／又はデータを記憶可能な単数又は複数のメモリを有する。入出力部は、反射型空間光変調部２０、光源部駆動回路部５０、外部照度取得部６０、温度取得部７０又は他の図示されてない装置等と直接接続される入出力ポートを有する。また、入力部は、図示されていないＣＡＮ（Controller Area Network）等のネットワークの通信線と接続される通信部等を有し、通信線に接続されている車両ＥＣＵ（Electronic Control Unit）１２０から情報を入力することができる。
【００３４】  外部照度取得部６０は、投写型表示装置１０の外部の照度である外部照度を取得可能に構成されている。図１に示される例では、外部照度取得部６０はハウジング８０に取り付けられる、フォトダイオード、フォトＩＣダイオード、フォトトランジスタ等の受光素子を有する照度センサである。外部照度取得部６０は、図１に示されるような制御部４０と直接接続される投写型表示装置１０専用の外部照度取得部６０であってもよく、制御部４０と直接又は図示されていないネットワークの通信線を介して制御部４０と接続される他の用途にも用いられる共用の外部照度取得部６０であってもよい。他の用途としては、例えば車外の明るさに応じて自動的にヘッドライトを点灯させるオートライトシステムが含まれる。共用の外部照度取得部６０が採用される場合、外部照度取得部６０はフロントウィンドウシールド１１０の車内側に取り付けられてもよい。
【００３５】  温度取得部７０は、ＤＭＤベース基板２６のセラミック部分に内蔵されるサーミスタ等からなる温度センサと、Ａ／Ｄ変換器と、から構成される。温度センサはマイクロミラー２１の温度を測定し、Ａ／Ｄ変換器は温度センサから出力されるアナログデータをデジタルデータに変換し、制御部４０に温度データＴを出力する。なお、Ａ／Ｄ変換器は、制御部４０に内蔵されていてもよい。また、温度センサは、マイクロミラー２１の温度ではなく、マイクロミラー２１の温度に影響を及ぼすハウジング８０内又はハウジング８０周辺の温度を測定してもよい。さらに、温度センサは、制御部４０が実装される制御基板（図示しない）上に配置され、マイクロミラー２１の温度を制御基板上から遠隔測定してもよい。
【００３６】  図２には、ハウジング８０内の構成の例が示される。ハウジング８０は、黒色の遮光性を有する硬質樹脂等によって箱状に形成されている。ハウジング８０は、上方に所定の大きさの開口部８０ａが形成されている。この開口部８０ａには、例えば透明樹脂製のカバー８１が取り付けられている。
【００３７】  ハウジング８０は、光源部３０と、照明光学系８２と、ＤＭＤ２０と、温度取得部７０と、投射光学系８３と、スクリーン８４と、平面ミラー８５と、凹面ミラー８６等を所定の位置に収納する。照明光学系８２は、例えば凹状のレンズ等で構成され、光源部３０から出射された光をＤＭＤ２０の大きさに調整する。投射光学系８３は、例えば凹レンズもしくは凸レンズ等で構成され、ＤＭＤ２０から投影された表示画像２００を構成する光９０をスクリーン８４に効率よく照射するための光学系である。
【００３８】  スクリーン８４は、拡散板，ホログラフィックディフューザ，マイクロレンズアレイ等から構成され、ＤＭＤ２０から投影された表示画像２００を構成する光９０を下面で受光して上面に表示画像２００を結像する、透過型スクリーンである。平面ミラー８５は、例えば、合成樹脂やガラス材料からなる基材の表面に、蒸着等の手段により反射膜を形成してなり、スクリーン８４を透過した表示画像２００を構成する光９０を、凹面ミラー８６に向かって反射させる。凹面ミラー８６は、例えば、合成樹脂やガラス材料からなる基材の表面に、蒸着等の手段により凹面を有する反射膜を形成してなり、平面ミラー８５で反射された光９０を開口部８０ａに向かってさらに反射する。これにより、結像される虚像３００は、スクリーン８４に結像された表示画像２００が拡大された状態で、ユーザーに視認される。
【００３９】  また、図２に示されるように、外部照度取得部６０は、例えば透明樹脂製のカバー８１の内側の外光があたる位置に取り付けられる。また、図２に示されるように、温度取得部７０は、ＤＭＤ２０のマイクロミラー２１の温度を測定可能な位置に取り付けられる。
【００４０】  図３Ａ、図３Ｂ及び図３Ｃを参照して、ＤＭＤ２０の構成の例及びマイクロミラー２１の動作について説明する。図３Ａに示されるように、ＤＭＤ２０は、複数のマイクロミラー２１と、これらのマイクロミラー２１を支持するＤＭＤベース基板２６と、を含む。複数のマイクロミラー２１のそれぞれは、表示画像２００の各画素に対応する。ＤＭＤベース基板２６は、ＣＭＯＳ(Complementary Metal Oxide Semiconductor)集積回路を含み、制御部４０から入力する制御信号に応じて、各マイクロミラー２１に印加する電位を変化させ、各マイクロミラー２１の傾斜状態を個別に切り替える。
【００４１】  図３Ｂは第１傾斜状態のマイクロミラー２１を示し、図３Ｃは第２傾斜状態のマイクロミラー２１を示す。マイクロミラー２１は、概して、鏡面２２、ヒンジ２３、電極等を有するベース２４等によって構成されている。ＤＭＤベース基板２６からベース２４の電極に電圧が印加されることによって、鏡面２２がヒンジ２３を支点に、例えば＋１２ｄｅｇ又は−１２ｄｅｇ傾く。図３Ｂに示される第１傾斜状態のマイクロミラー２１は鏡面２２がヒンジ２３を支点に例えば＋１２ｄｅｇ傾いた状態であり、図３Ｃに示される第２傾斜状態のマイクロミラー２１は鏡面２２がヒンジ２３を支点に例えば−１２ｄｅｇ傾いた状態である。
【００４２】  図３Ｂに示されるように、マイクロミラー２１が第１傾斜状態であるときには、投射光学系８３を通過して入射する発光素子３１，３２，３３の光（入射光）を、スクリーン８４の方向に反射する。その一方で、図３Ｃに示されるように、マイクロミラー２１が第２傾斜状態であるときには、投射光学系８３を通過して入射する発光素子３１，３２，３３の光（入射光）を、スクリーン８４の方向ではなく、図示されていない光吸収板の方向に反射する。すなわち、マイクロミラー２１が第１傾斜状態であるときには、発光素子３１，３２，３３から入射する光（入射光）を、表示画像２００を構成する光９０として反射する傾斜状態である。その一方で、マイクロミラー２１が第２傾斜状態であるときには、発光素子３１，３２，３３から入射する光（入射光）を、表示画像２００を構成する光９０として反射しない傾斜状態である。なお、各マイクロミラー２１は、投写型表示装置１０の電源がＯＦＦ状態であるときには、第１傾斜状態と第２傾斜状態との例えば中間の傾斜状態（例えば０ｄｅｇ）で駆動を停止する。
【００４３】  ＤＭＤ２０は、各マイクロミラー２１をマイクロセカンド（１００万分の１秒）のオーダで、第１傾斜状態から第２傾斜状態へ、又は第２傾斜状態から第１傾斜状態へ切り替えることができる。このように、制御部４０は、後述する表示画像２００を表示する周期であるフレームＦが分割されるサブフレームＳＦ毎に、光源部３０から入射する光を、表示画像２００の１画素毎に、表示画像２００を構成する光９０として反射するか否かを制御することができる。以下、制御部４０が、マイクロミラー２１が第１傾斜状態に設定されるように制御することをＯＮ制御とも呼び、マイクロミラー２１が第２傾斜状態に設定されるように制御することをＯＦＦ制御とも呼ぶ。
【００４４】  以下、投写型表示装置１０の動作について説明する。制御部４０は、図示されていない通信線を介して車両ＥＣＵ１２０から表示画像２００を表示するための映像信号を受け取る。制御部４０は、この映像信号が要求する光の輝度と発光タイミングで光源部３０の各発光素子３１，３２，３３が発光するように照明制御データを生成し、この照明制御データに応じて光源部駆動回路部５０を制御して、光源部３０の各発光素子３１，３２，３３を発光させる。これと同時に、制御部４０は、映像信号が要求する表示画像２００を構成する光９０がＤＭＤ２０の複数のマイクロミラー２１によって反射されるように表示制御データを生成し、この表示制御データに応じてＤＭＤベース基板２６を制御して、各マイクロミラー２１をＯＮ制御又はＯＦＦ制御する。
【００４５】  投写型表示装置１０は、フィールドシーケンシャル駆動方式によって表示画像２００を表示するものである。ここで、フィールドシーケンシャル駆動方式による一般的な表示画像２００の表示方法を簡単に説明する。
【００４６】  表示画像２００の各フレームＦは、複数の期間に分割されたサブフレームＳＦによって構成される。制御部４０は、サブフレームＳＦ毎に、照明制御データに応じた発光輝度且つ発光タイミングで赤色ＬＥＤ３１、緑色ＬＥＤ３２及び青色ＬＥＤ３３のうちの１色のＬＥＤが発光するように、光源部駆動回路部５０の各駆動回路に対してＰＷＭ信号を出力する。これと同時に、制御部４０は、サブフレームＳＦ毎に、表示制御データに応じて、ＤＭＤ２０の複数のマイクロミラー２１を個別にＯＮ制御又はＯＦＦ制御する。このように、制御部４０は、サブフレームＳＦ毎に、赤色、緑色又は青色の光を、表示画像２００を構成する光９０としてスクリーン８４へ反射するか否かを表示画像２００の１画素毎に制御する。その結果、表示画像２００は、１フレームＦの間に、基本色である赤色、緑色及び青色が加法混合されることで、フルカラー画像として表示される。
【００４７】  続いて、本発明の投写型表示装置１０における表示画像２００の表示方法を説明する。図４に示されるように、制御部４０は、各フレームＦを、赤色ＬＥＤ３１、緑色ＬＥＤ３２及び青色ＬＥＤ３３のうち少なくとも１つを発光させる期間である表示期間Ｆａと、全てのＬＥＤを発光させない期間である非表示期間Ｆｂと、に分割する。制御部４０は、サブフレームＳＦのうち表示期間Ｆａに含まれるサブフレームＳＦである複数の表示サブフレームＳＦａのそれぞれを、さらに、複数の期間である分割表示サブフレームｄＳＦａに分割する。図４に示される例においては、各表示サブフレームＳＦａは期間Ｘと期間Ｙとの２つの期間に分割されており、例えば表示サブフレームＳＦａ１は分割表示サブフレームｄＳＦａ１−Ｘと分割表示サブフレームｄＳＦａ１−Ｙに分割されている。なお、各表示サブフレームＳＦａは、期間Ｘと期間Ｙとそれ以外の期間の３つ以上の期間に分割されてもよい。
【００４８】  制御部４０は、表示サブフレームＳＦａ毎に、照明制御データに応じた発光輝度且つ発光タイミングで赤色ＬＥＤ３１、緑色ＬＥＤ３２及び青色ＬＥＤ３３のうちの１つを発光させる。これと同時に、制御部４０は、分割表示サブフレームｄＳＦａ毎に、表示制御データに応じて、ＤＭＤ２０の複数のマイクロミラー２１を個別にＯＮ制御又はＯＦＦ制御する。ここで、制御部４０は、サブフレームＳＦのうち非表示期間Ｆｂに含まれるサブフレームＳＦである複数の非表示サブフレームＳＦｂでは、赤色ＬＥＤ３１、緑色ＬＥＤ３２及び青色ＬＥＤ３３のいずれも発光させない。
【００４９】  図５を参照して、具体例を説明する。図５は、ある１つのフレームＦの表示期間Ｆａの一部分における、マイクロミラー２１−１、マイクロミラー２１−２、赤色ＬＥＤ３１、緑色ＬＥＤ３２及び青色ＬＥＤ３３の駆動状態が示している。なお、マイクロミラー２１−１とマイクロミラー２１−２とは、異なるマイクロミラー２１である。
【００５０】  図５には、ある１つのフレームＦの表示期間Ｆａのうち、表示サブフレームＳＦａ１、表示サブフレームＳＦａ２、表示サブフレームＳＦａ３、及び表示サブフレームＳＦａ４（開始部分のみ）が、示されている。また、各表示サブフレームＳＦａは、期間Ｘと期間Ｙとの２つの期間に分割されており、各表示サブフレームＳＦａにおける期間Ｘと期間Ｙとの分割割合は６：４である。
【００５１】  図５に示されている例において、表示サブフレームＳＦａ１は赤色ＬＥＤ３１が発光し、表示サブフレームＳＦａ２は緑色ＬＥＤ３２が発光し、表示サブフレームＳＦａ３は青色ＬＥＤ３３が発光し、表示サブフレームＳＦａ４は赤色ＬＥＤ３１が発光する。すなわち、表示サブフレームＳＦａ１では赤色ＬＥＤ３１のみがＯＮ状態であり、表示サブフレームＳＦａ２では緑色ＬＥＤ３２のみがＯＮ状態であり、表示サブフレームＳＦａ３では青色ＬＥＤ３３のみがＯＮ状態であり、表示サブフレームＳＦａ４では赤色ＬＥＤ３１のみがＯＮ状態である。
【００５２】また、図５に示されている例において、マイクロミラー２１−１とマイクロミラー２１−２とは、表示サブフレームＳＦａ１と表示サブフレームＳＦａ３とでＯＮ制御されている。ここで、マイクロミラー２１−１は、表示サブフレームＳＦａ１と表示サブフレームＳＦａ３とにおいて、期間Ｘと期間Ｙとの両方の期間でＯＮ制御されている。その一方で、マイクロミラー２１−２は、表示サブフレームＳＦａ１と表示サブフレームＳＦａ３とにおいて、期間ＸのみＯＮ制御されており、期間ＹではＯＦＦ制御されている。
【００５３】  このように、図５に示されるフレームＦにおいて、マイクロミラー２１−２に対応する表示画像２００の画素は、マイクロミラー２１−１に対応する表示画像２００の画素に対して、同じ階調段階の混色で且つ、６／１０の明るさで表示される。例えば、図５に示されるフレームＦの１つ前のフレームＦ'において、マイクロミラー２１−１とマイクロミラー２１−２とが、図５に示されるマイクロミラー２１−１と同じタイミングでＯＮ制御（分割表示サブフレームｄＳＦａ１−Ｘ，ｄＳＦａ１−Ｙ，ｄＳＦａ３−Ｘ，ｄＳＦａ３−ＹでＯＮ制御）されていたと仮定する。そうすると、図５に示されるフレームＦが表示されるときに、マイクロミラー２１−１に対応する表示画像２００の画素とマイクロミラー２１−２に対応する表示画像２００の画素とのうち、マイクロミラー２１−２に対応する画素の明るさのみが暗くなる。
【００５４】  以上のように、本発明の投写型表示装置１０では、分割表示サブフレームｄＳＦａ毎に、マイクロミラー２１の第１傾斜状態又は第２傾斜状態を設定できることによって、表示画像２００の明るさを部分毎に変更できる。
【００５５】  また、制御部４０が、各表示サブフレームＳＦａが分割される複数の分割表示サブフレームｄＳＦａの期間の割合を、全ての表示サブフレームＳＦａで一定に決定することによって、混色の階調段階を保った状態で、表示画像２００の明るさを部分毎に変更できる。例えば、１フレームＦにおける各色の階調段階の総数が２５６である場合には、１フレームＦにおける表示期間Ｆａには表示サブフレームＳＦａが各色８ビット２５６階調表現可能な８個程度ずつ含まれる。図５に示されるマイクロミラー２１−１のように、分割前の（期間Ｘ及び期間Ｙを合わせた）表示サブフレームＳＦａ毎にマイクロミラー２１をＯＮ制御又はＯＦＦ制御することによって、０から２５５まで１ずつ変位する各色の階調段階を決定できる。また、図５に示されるマイクロミラー２１−２のように、分割前の各表示サブフレームＳＦａの期間Ｘ毎（期間ＹはＯＦＦ制御）にマイクロミラー２１をＯＮ制御又はＯＦＦ制御することによって、各色の階調段階を０×Ｘ／（Ｘ＋Ｙ）から２５５×Ｘ／（Ｘ＋Ｙ）までＸ／（Ｘ＋Ｙ）ずつ変位する各色の階調段階を決定できる。
【００５６】  なお、図５に示されるマイクロミラー２１−２は、制御部４０によって、期間Ｙの分割表示サブフレームｄＳＦａにＯＦＦ制御され、期間Ｘの分割表示サブフレームｄＳＦａにマイクロミラー２１をＯＮ制御又はＯＦＦ制御されるものである。しかしながら、逆に、制御部４０は、マイクロミラー２１−２を、期間Ｘの分割表示サブフレームｄＳＦａにＯＦＦ制御し、期間Ｙの分割表示サブフレームｄＳＦａにマイクロミラー２１をＯＮ制御又はＯＦＦ制御するものであってもよい。すなわち、各表示サブフレームＳＦａにおける期間Ｘと期間Ｙとの分割割合を６：４とした場合、制御部４０は、期間Ｘと期間Ｙとの両方でＯＮ制御又はＯＦＦ制御することで１０／１０の明るさと、期間ＸのみでＯＮ制御又はＯＦＦ制御すると共に期間ＹでＯＦＦ制御することで６／１０の明るさと、期間ＹのみでＯＮ制御又はＯＦＦ制御すると共に期間ＸでＯＦＦ制御することで４／１０の明るさと、の３種類の明るさで表示画像２００の各画素を表現することができる。
【００５７】  このように、図５に示されるマイクロミラー２１−１のようにマイクロミラー２１をＯＮ制御又はＯＦＦ制御する場合と、図５に示されるマイクロミラー２１−２のようにマイクロミラー２１をＯＮ制御又はＯＦＦ制御する場合とでは、１フレームＦにおける各色の階調段階の総数は共に２５６である。したがって、制御部４０が、各表示サブフレームＳＦａが分割される複数の分割表示サブフレームｄＳＦａの期間の割合を、全ての表示サブフレームＳＦａで一定（図５に示される例においてはＸ：Ｙ＝６：４）に決定することによって、混色の階調段階を保った状態で、表示画像２００の明るさを部分毎に変更できる。
【００５８】  しかしながら、制御部４０は、各表示サブフレームＳＦａが分割される複数の分割表示サブフレームｄＳＦａの期間の割合を、表示サブフレームＳＦａ毎に任意に決定してもよい。図６には、赤色ＬＥＤ３１を発光させる表示サブフレームＳＦａを、緑色ＬＥＤ３２又は青色ＬＥＤ３３を発光させる表示サブフレームＳＦａと比較して、期間Ｘの割合を大きくして複数の分割表示サブフレームｄＳＦａに分割した例の一部が示されている。すなわち、図６に示されている例では、赤色ＬＥＤ３１が発光する表示サブフレームＳＦａ１における期間Ｘと期間Ｙとの分割割合は８：２であり、緑色ＬＥＤ３２が発光する表示サブフレームＳＦａ２及び青色ＬＥＤ３３が発光する表示サブフレームＳＦａ３における期間Ｘと期間Ｙとの分割割合は２：８である。
【００５９】  図６に示されている例において、マイクロミラー２１−１は表示画像２００において赤色が単色で表示される画素に対応し、マイクロミラー２１−２は表示画像２００において青色が単色で表示される画素に対応する。また、図６に示されている例において、マイクロミラー２１−１は赤色ＬＥＤ３１が発光する全ての表示サブフレームＳＦａにおける期間ＸでＯＮ制御され、マイクロミラー２１−２は青色ＬＥＤ３３が発光する全ての表示サブフレームＳＦａにおける期間ＸでＯＮ制御される。
【００６０】  その結果、図６に示される表示期間Ｆａ全体として、マイクロミラー２１−１に対応する画素の赤色の明るさは、各表示サブフレームＳＦａを分割表示サブフレームｄＳＦａに分割しない場合と比較して、８／１０倍になる。同様に、図６に示される表示期間Ｆａ全体として、マイクロミラー２１−２に対応する画素の青色の明るさは、各表示サブフレームＳＦａを分割表示サブフレームｄＳＦａに分割しない場合と比較して、２／１０倍になる。
【００６１】  したがって、制御部４０が、各表示サブフレームＳＦａが分割される複数の分割表示サブフレームｄＳＦａの期間の割合を、表示サブフレームＳＦａ毎に任意に決定することによって、表示画像２００における単色表示の明るさを色毎に決定できる。例えば、表示画像２００において、ある１色の単色表示を、他の色の単色表示と比較して明るく表示することによって、明るく表示された１色の単色表示を用いて車両１００の運転者へ注意を促すことができる。
【００６２】  制御部４０は、ＤＭＤ２０の複数のマイクロミラー２１を複数の群（エリア）に分けてもよい。図７には、ＤＭＤ２０の複数のマイクロミラー２１が第１エリア１６０−１と第２エリア１６０−２とに分けられた例が示されている。図７に示される第１エリア１６０−１及び第２エリア１６０−２は、図２に示されるスクリーン８４におけるエリアに対応している。この場合、制御部４０は、各表示サブフレームＳＦａが分割される複数の期間である分割表示サブフレームｄＳＦａのうち、マイクロミラー２１をＯＮ制御にすることを禁止する分割表示サブフレームｄＳＦａを、複数のマイクロミラー２１を複数の群（エリア）毎に決定してもよい。
【００６３】  図７に示される例において、各表示サブフレームＳＦａが期間Ｘ及び期間Ｙの２つの期間である２つの分割表示サブフレームｄＳＦａに分割されるとする。例えば、制御部４０は、あるフレームＦにおいて、図７に示される第１エリア１６０−１に含まれるマイクロミラー２１を、各表示サブフレームＳＦａにおける期間Ｘ及び期間Ｙの双方の期間である２つの分割表示サブフレームｄＳＦａで映像信号に応じてＯＮ制御可能にする。すなわち、制御部４０は、図７に示される第１エリア１６０−１に含まれるマイクロミラー２１を、全ての分割表示サブフレームｄＳＦａで映像信号に応じてＯＮ制御可能にする（映像信号によらずにＯＦＦ制御に固定される分割表示サブフレームｄＳＦａを有さないようにする）。また、制御部４０は、同じフレームＦにおいて、図７に示される第２エリア１６０−２に含まれるマイクロミラー２１を、各表示サブフレームＳＦａにおける期間Ｘである分割表示サブフレームｄＳＦａのみ映像信号に応じてＯＮ制御可能にする。すなわち、制御部４０は、図７に示される第２エリア１６０−２に含まれるマイクロミラー２１を、各表示サブフレームＳＦａにおける期間Ｙである分割表示サブフレームｄＳＦａで映像信号によらずに必ずＯＦＦ制御する。
【００６４】  このように制御することによって、表示画像２００におけるエリア毎に明るさを変更することができる。例えば、特定のマーク（特定種類の画像）が含まれる表示画像２００におけるエリアを明るく表示することによって、そのマークを用いて車両１００の運転者へ注意を促すことができる。また、運転者の操作により表示画像２００におけるエリア毎に明るさを任意に変更できるようにしてもよく、車両ＥＣＵから入力される車両の運行状況の変化に基づき、表示画像２００におけるエリア毎に明るさを変更してもよい。
【００６５】  それと共に、制御部４０は、複数のエリアのうちいずれか１つを、全ての分割表示サブフレームｄＦａで映像信号に応じてＯＮ制御に切り替わり可能なエリアに決定することで、光源部３０が点灯しているものの、いずれのマイクロミラー２１もＯＦＦ状態に固定されてしまい画像としては寄与しない分割表示サブフレームｄＳＦａが発生してしまうことを防止することができる。
【００６６】  また、ＤＭＤ２０において明るさを異ならせるエリアの分け方、配置、大きさなどは、車両ＥＣＵから入力される車両の運行状況の変化に基づき変更されてもよい。また、ＤＭＤ２０において明るさを異ならせるエリアの分け方、配置、大きさなどは、所定のエリアを構成した後の経過時間に応じて変更してもよい。このように制御することで、表示画像２００の領域毎に適切に明るさの強弱をつけることができるため、車両の運行状況等に応じて必要とされる情報を的確に運転者に伝えることができる。
【００６７】  また、制御部４０は、上述した図４に示される非表示期間Ｆｂに含まれるサブフレームＳＦである、各非表示サブフレームＳＦｂにおいても、複数のマイクロミラー２１をＯＮ制御又はＯＦＦ制御する。好ましくは、制御部４０は、１フレームＦ当たり又は複数のフレームＦ当たりにおける各マイクロミラー２１が第１傾斜状態となる時間と第２傾斜状態となる時間との割合が、一定の割合になるように、非表示期間Ｆｂにおいて、各マイクロミラー２１をＯＮ制御又はＯＦＦ制御する。１フレームＦ当たり又は複数のフレームＦ当たりにおける各マイクロミラー２１が第１傾斜状態となる時間と第２傾斜状態となる時間との割合が、一定の割合になることによって、マイクロミラー２１が第１傾斜状態又は第２傾斜状態の一方で固着することが防止される。
【００６８】  さらに好ましくは、制御部４０は、１フレームＦ当たり又は複数のフレームＦ当たりにおける各マイクロミラー２１が第１傾斜状態となる時間と第２傾斜状態となる時間との割合が、５０：５０になるように、非表示期間Ｆｂにおいて、各マイクロミラー２１をＯＮ制御又はＯＦＦ制御する。１フレームＦ当たり又は複数のフレームＦ当たりにおける各マイクロミラー２１が第１傾斜状態となる時間と第２傾斜状態となる時間との割合が、５０：５０になることによって、マイクロミラー２１が第１傾斜状態又は第２傾斜状態の一方で固着することがさらに防止される。
【００６９】  また、制御部４０は、サブフレームＳＦのうち非表示期間Ｆｂに含まれるサブフレームＳＦである複数の非表示サブフレームＳＦｂのそれぞれを、さらに、複数の期間である分割非表示サブフレームｄＳＦｂに分割してもよい。この場合、制御部４０は、１フレームＦ当たり又は複数のフレームＦ当たりにおける各マイクロミラー２１が第１傾斜状態となる時間と第２傾斜状態となる時間との割合が、一定の割合になるように、非表示サブフレームｄＳＦｂ毎に、各マイクロミラー２１をＯＮ制御又はＯＦＦ制御してもよい。このように分割非表示サブフレームｄＳＦｂ毎に各マイクロミラー２１を制御することによって、例えば非表示サブフレームＳＦｂを複数の分割非表示サブフレームｄＳＦｂに分割しない場合と比較して、非表示期間Ｆｂにおける各マイクロミラー２１のＯＮ制御又はＯＦＦ制御を細かく設定できる。
【００７０】  ここで、各フレームＦにおける表示期間Ｆａと非表示期間Ｆｂとの割合は同じである必要はない。例えば、各フレームＦにおける表示期間Ｆａの割合を大きくすることによって、表示画像２００の全体の明るさを明るくすることができる。制御部４０は、各フレームＦにおける表示期間Ｆａと非表示期間Ｆｂとの割合を、外部照度取得部６０から入力する外部照度に応じて決定する。
【００７１】  例えば、図８Ａには、外部照度と、各フレームＦにおける表示期間Ｆａと非表示期間Ｆｂとの割合と、の関係が示されている。図８Ａに示されているグラフの横軸は右側にいくに連れて大きくなる外部照度Ｌを示し、縦軸は上側にいくに連れて表示期間Ｆａの割合が大きくなる各フレームＦにおける表示期間Ｆａと非表示期間Ｆｂとの割合が示されている。例えば、図８Ａに示されるような、外部照度と、各フレームＦにおける表示期間Ｆａと非表示期間Ｆｂとの割合と、の関係は、制御部４０の記憶部に記憶されている。
【００７２】  図８Ａに示されている例では、外部照度Ｌが第１外部照度Ｌ１のときに表示期間Ｆａ：非表示期間Ｆｂ＝５０：５０となり、外部照度Ｌが第２外部照度Ｌ２のときに表示期間Ｆａ：非表示期間Ｆｂ＝６０：４０となり、外部照度Ｌが第３外部照度Ｌ３のときに表示期間Ｆａ：非表示期間Ｆｂ＝７０：３０となっている。また、図８Ａに示されている例では、外部照度Ｌが第３外部照度Ｌ３よりも大きくなるときであっても、表示期間Ｆａ：非表示期間Ｆｂ＝７０：３０に固定される。これは、非表示期間Ｆｂを確保することによって、１フレームＦ当たりにおける各マイクロミラー２１が第１傾斜状態となる時間と第２傾斜状態となる時間との割合を、全てのフレームＦで一定の割合とすることを実現するためである。
【００７３】  なお、制御部４０は、光源部３０に１フレームＦあたりに供給する電力を調整することで、表示画像２００の全体の明るさを調整してもよい。具体的には、光源部３０に流れる電流を変化させることで１フレームＦあたりに供給する電力を調整し、表示画像２００の全体の明るさを変化させてもよい。代替的に、制御部４０は、サブフレームＳＦ内で光源部３０に電流を流す期間（Ｄｕｔｙ比）を変化させることで１フレームＦあたりに供給する電力を調整し、表示画像２００の全体の明るさを変化させてもよい。
【００７４】  さらに、制御部４０は、上述したような電流またはＤｕｔｙ比の変化と、各フレームＦにおける表示期間Ｆａと非表示期間Ｆｂとの割合の変化とを組み合わせることで、表示画像２００の全体の明るさを変化させてもよい。具体的に例えば、制御部４０は、外部照度Ｌが第１外部照度Ｌ１と第２外部照度Ｌ２との間にある場合、表示期間Ｆａ：非表示期間Ｆｂ＝７０：３０に一定にし、外部照度Ｌの変化に基づき光源部３０の電流（あるいはＤｕｔｙ比）を漸次変化させ、外部照度Ｌが第２外部照度Ｌ２と第３外部照度Ｌ３との間にある場合、表示期間Ｆａ：非表示期間Ｆｂ＝５０：５０に一定にし、外部照度Ｌの変化に基づき光源部３０の電流（あるいはＤｕｔｙ比）を漸次変化させ、外部照度Ｌが第３外部照度Ｌ３未満である場合、表示期間Ｆａ：非表示期間Ｆｂ＝５０：５０に一定にし、外部照度Ｌの変化に基づき光源部３０の電流（あるいはＤｕｔｙ比）を漸次変化させてもよい。
【００７５】  なお、マイクロミラー２１は、マイクロミラー２１の温度が高くなるに応じて、マイクロミラー２１が第１傾斜状態又は第２傾斜状態の一方で固着しやすくなることが考えられる。そのため、制御部４０は、温度取得部７０から入力する温度（マイクロミラー２１の温度）に応じて、各フレームＦにおける表示期間Ｆａの割合の上限を決定する。
【００７６】  例えば、図８Ｂには、温度と、許容される各フレームＦにおける表示期間Ｆａと非表示期間Ｆｂとの割合と、の関係が示されている。図８Ｂに示されているグラフの横軸は右側にいくに連れて大きくなる投射型表示装置１０の周辺または内部の温度Ｔを示し、縦軸は上側にいくに連れて表示期間Ｆａの割合が大きくなる許容される各フレームＦにおける表示期間Ｆａと非表示期間Ｆｂとの割合が示されている。例えば、図８Ｂに示されるような、温度Ｔと、許容される各フレームＦにおける表示期間Ｆａと非表示期間Ｆｂとの割合と、の関係は、制御部４０の記憶部に記憶されている。
【００７７】  図８Ｂに示されている例では、温度Ｔが第１温度Ｔ１より小さいときには各フレームＦにおいて表示期間Ｆａ：非表示期間Ｆｂ＝７０：３０が許容され、温度Ｔが第１温度Ｔ１以上であり、第２温度Ｔ２より小さいときには温度Ｔが第１温度Ｔ１より大きくなるに連れて各フレームＦにおける許容される表示期間Ｆａの割合が小さくなり、温度Ｔが第２温度Ｔ２以上では各フレームＦにおける許容される表示期間Ｆａの割合は５０で固定される。すなわち、例えば外部照度Ｌが第３外部照度Ｌ３であっても、表示期間Ｆａ：非表示期間Ｆｂ＝５０：５０となる。なお、温度Ｔが第２温度Ｔ２よりも高い第３温度Ｔ３以上であるときには、表示期間Ｆａの割合を０とし、表示画像２００の表示を停止するようにしてもよい。
【００７８】  なお、表示期間Ｆａと非表示期間Ｆｂとの割合は、図８Ｂに示されるように、温度Ｔの変化に基づき漸次変化するものではなく、温度Ｔの変化に基づき段階的に変化してもよい。具体的に例えば、温度Ｔが第１の閾値未満の場合、表示期間Ｆａ：非表示期間Ｆｂ＝７０：３０となり、温度Ｔが第１の閾値以上且つ第１の閾値より高温の第２の閾値未満の場合、表示期間Ｆａ：非表示期間Ｆｂ＝６０：４０となり、温度Ｔが第２の閾値以上の場合、表示期間Ｆａ：非表示期間Ｆｂ＝５０：５０となってもよい。
【００７９】  本発明は、上述の例示的な実施形態に限定されず、また、当業者は、上述の例示的な実施形態を特許請求の範囲に含まれる範囲まで、容易に変更することができるであろう。
【産業上の利用可能性】
【００８０】  本発明は、ミラーユニットに関して、例えば、自動車やオートバイ、あるいは農業機械や建設機械を備えた移動体に搭載される車両情報やターンバイターン表示等の道路情報などの投写型表示装置として好適である。
【符号の説明】
【００８１】  １０・・・投写型表示装置、２０・・・反射型空間光変調部，ＤＭＤ、２１・・・可動式反射素子，マイクロミラー、３０・・・光源部、３１・・・赤色ＬＥＤ、３２・・・緑色ＬＥＤ、３３・・・青色ＬＥＤ、４０・・・制御部、５０・・・光源部駆動回路部、６０・・・外部照度取得部、７０・・・温度取得部、８０・・・ハウジング、８４・・・スクリーン、９０・・・表示画像を構成する光、１００・・・車両、１２０・・・車両ＥＣＵ、２００・・・表示画像、３００・・・表示画像の虚像。
【図１】
2018043040.tif 000003
【図２】
2018043040.tif 000004
【図３Ａ】
2018043040.tif 000005
【図３Ｂ】
2018043040.tif 000006
【図３Ｃ】
2018043040.tif 000007
【図４】
2018043040.tif 000008
【図５】
2018043040.tif 000009
【図６】
2018043040.tif 000010
【図７】
2018043040.tif 000011
【図８Ａ】
2018043040.tif 000012
【図８Ｂ】
2018043040.tif 000013
【国際調査報告】
2018043040.tif 000014
2018043040.tif 000015
2018043040.tif 000016
2018043040.tif 000017